(57)【要約】【課題】  露光済み感光材料を現像処理する処理槽内の処理液の保温効果を向上できるとともにヒータの消費電力の削減を実現できる現像装置を提供する。【解決手段】  この現像装置２１は、画像情報に基づいて露光されたシート状の感光紙について複数の槽２３，２４，２５ａ，２５ｂ，２５ｃが一体となった処理槽で処理液をヒータで温度調節しながら現像処理を行い、処理槽を包囲するように断熱部材６１，６２を配置することで処理槽の外壁６８に仕切られた空間６０が形成されて断熱構造となっている。【選択図】  図４
2005070641.tif 000002
【特許請求の範囲】
【請求項１】
画像情報に基づいて露光されたシート状の感光材料について複数の槽が一体となった処理槽で処理液をヒータで温度調節しながら現像処理を行う現像装置であって、
前記処理槽を包囲するように断熱部材を配置することで前記処理槽の外壁に仕切られた空間が形成されることを特徴とする現像装置。
【請求項２】
前記仕切られた空間の外側に設けられた外気温調機構と、前記外気温調機構で温調された空気を前記仕切られた空間に送り込むファンと、を備えることを特徴とする請求項１に記載の現像装置。
【請求項３】
前記外気温調機構から前記ファンにより前記仕切られた空間に送り込む空気は、前記処理槽内の処理液の温度に応じて、暖かく温調されるか、または、前記ファンによる送り込みが停止されることを特徴とする請求項２に記載の現像装置。
【請求項４】
前記現像装置を停止するときに前記処理槽内の処理液を冷やすために前記外気温調機構から前記仕切られた空間に冷たい空気を送り込むことを特徴とする請求項２に記載の現像装置。
【請求項５】
前記現像装置を停止するときに前記処理槽内の処理液を冷やすために前記仕切られた空間の少なくとも一部を開き外気を取り入れるように構成したことを特徴とする請求項１に記載の現像装置。
【請求項６】
画像情報に基づいて露光されたシート状の感光材料について複数の槽が一体となった処理槽で処理液をヒータで温度調節しながら現像処理を行う現像装置であって、
前記処理槽の断熱効果を得るために前記処理槽を断熱部材から構成したことを特徴とする現像装置。
【請求項７】
前記処理槽は少なくとも現像槽と定着槽と安定槽とを含み、前記定着槽と前記安定槽との間に断熱部材を配置したことを特徴とする請求項１乃至６のいずれか１項に記載の現像装置。
【請求項８】
画像情報に基づいて露光されたシート状の感光材料について複数の槽が一体となった処理槽で処理液をヒータで温度調節しながら現像処理を行う現像装置であって、
前記処理槽の上部を覆うように前記処理槽に対し処理液を補充する処理液補充部を配置することを特徴とする現像装置。
【発明の詳細な説明】
【技術分野】
【０００１】
本発明は、露光済み感光材料を現像処理する現像装置に関する。
【背景技術】
【０００２】
従来、現像装置は、図１２（ａ）、（ｂ）のように、複数の槽、即ち、現像槽２３０，定着槽２４０，第１安定槽２５１，第２安定槽２５２及び第３安定槽２５３が一体となった処理槽で露光済み感光材料を現像処理している。この場合、処理槽内の処理液を温調する際は、ヒータのＯＮ／ＯＦＦのみで制御していた。また、処理槽内の処理液は周囲環境の影響を受け易いので、処理液の温度を一定に（例えば、３７℃程度）保つために処理液を温調するヒータをＯＮする時間が多くなり、消費電力を浪費する結果となっていた。
【発明の開示】
【発明が解決しようとする課題】
【０００３】
本発明は、上述のような従来技術の問題に鑑み、露光済み感光材料を現像処理する処理槽内の処理液の保温効果を向上できるとともにヒータの消費電力の削減を実現できる現像装置を提供することを目的とする。
【課題を解決するための手段】
【０００４】
上記目的を達成するために、本発明による第１の現像装置は、画像情報に基づいて露光されたシート状の感光材料について複数の槽が一体となった処理槽で処理液をヒータで温度調節しながら現像処理を行う現像装置であって、前記処理槽を包囲するように断熱部材を配置することで前記処理槽の外壁に仕切られた空間が形成されることを特徴とする。
【０００５】
この現像装置によれば、断熱部材で処理槽を包囲して処理槽の外壁に仕切られた空間を形成することで、処理槽において断熱効果を得ることができ、処理槽内の処理液の温度変動が抑えられるので、処理槽内の処理液の保温効果が向上し、処理液の安定性が向上するとともに、ヒータのＯＮ時間を短縮でき消費電力を削減できる。
【０００６】
なお、処理槽が少なくとも現像槽と定着槽と安定槽とを含む場合、定着槽と安定槽との間に断熱部材を配置するとともに、別の断熱部材で現像槽と定着槽を包囲して現像槽と定着槽の外壁に仕切られた空間を形成するように構成してもよい。
【０００７】
上記現像装置において前記仕切られた空間の外側に設けられた外気温調機構と、前記外気温調機構で温調された空気を前記仕切られた空間に送り込むファンと、を備えることで、処理槽内の処理液の保温効果を正確かつ効率的に得ることができる。
【０００８】
この場合、前記外気温調機構から前記ファンにより前記仕切られた空間に送り込む空気は、前記処理槽内の処理液の温度に応じて、暖かく温調されるか、または、前記ファンによる送り込みが停止されることが好ましい。
【０００９】
また、前記現像装置を停止するときに前記処理槽内の処理液を冷やすために前記外気温調機構から前記仕切られた空間に冷たい空気を送り込むことが好ましい。
【００１０】
また、前記現像装置を停止するときに前記処理槽内の処理液を冷やすために前記仕切られた空間の少なくとも一部を開き外気を取り入れるように構成してもよい。
【００１１】
本発明による第２の現像装置は、画像情報に基づいて露光されたシート状の感光材料について複数の槽が一体となった処理槽で処理液をヒータで温度調節しながら現像処理を行う現像装置であって、前記処理槽の断熱効果を得るために前記処理槽を断熱部材から構成したことを特徴とする。
【００１２】
この現像装置によれば、断熱部材で処理槽を構成し断熱効果を得ることができ、処理槽内の処理液の温度変動が抑えられるので、処理槽内の処理液の保温効果が向上し、処理液の安定性が向上するとともに、ヒータのＯＮ時間を短縮でき消費電力を削減できる。
【００１３】
上記各現像装置において前記処理槽は少なくとも現像槽と定着槽と安定槽とを含み、前記定着槽と前記安定槽との間に断熱部材を配置することが好ましい。これにより、定着槽内の処理液の温度を更に安定にできる。
【００１４】
本発明による第３の現像装置は、画像情報に基づいて露光されたシート状の感光材料について複数の槽が一体となった処理槽で処理液をヒータで温度調節しながら現像処理を行う現像装置であって、前記処理槽の上部を覆うように前記処理槽に対し処理液を補充する処理液補充部を配置することを特徴とする。
【００１５】
この現像装置によれば、処理槽の上部に処理液補充部を配置し処理槽上部を覆い処理槽上部における断熱効果を得ることができるので、処理槽から上部への放熱を抑えることができるとともに処理槽から上部への熱で処理液補充部を暖めることができる。このため、処理槽内の処理液の温度変動が抑えられかつ処理槽に補充される処理液が暖められるので、処理槽内の処理液の保温効果が向上し、処理液の安定性が向上するとともに、ヒータのＯＮ時間を短縮でき消費電力を削減できる。
【発明の効果】
【００１６】
本発明の現像装置によれば、露光済み感光材料を現像処理する処理槽内の処理液の保温効果を向上できるとともにヒータの消費電力の削減を実現できる。
【発明を実施するための最良の形態】
【００１７】
以下、本発明を実施するための最良の形態について図面を用いて説明する。図１は本実施の形態による画像記録装置の内部を正面側から見た図である。図２は図１の画像記録装置の現像装置をより具体的に示す要部正面図である。図３は図２の現像装置の上部を概略的に示す要部上面図である。図４及び図６は図２の現像装置の処理槽を概略的に示す要部正面図である。図５は図２の現像装置の配管系を示す図である。
【００１８】
図１に示すように、画像記録装置１は、感光材料に露光し画像を形成する露光装置１１と、露光された感光紙を現像する現像装置２１と、を備える。露光装置１１は、内部にロール状に巻かれたシート状の感光材料（感光紙）を収納した専用のカートリッジ１３を装填し収容する装填部１２，１２’と、装填部１２，１２’に装填されたカートリッジ１３から感光紙を給送する給送部１４と、給送部１４から給送された感光紙を外周面に真空吸引し保持しながら主走査のために回転方向Ｒに回転する円筒体１８と、円筒体１８上の感光紙に対し画像情報に基づいてＬＥＤ光等の光ビームを露光する光学ユニット１６と、光学ユニット１６を副走査のために副走査方向（図１の紙面垂直方向）に搬送する副走査部１７と、画像記録後のドラム上の感光紙を剥離する剥離部材１８ａと、剥離された感光紙をガイドするガイド部１５と、を備える。
【００１９】
図１のように、現像装置２１は、露光後の感光紙の現像処理を行うために一体に構成された複数の処理槽として、上流側から順に、現像を行う現像槽２３と、定着処理を行う定着槽２４と、安定処理を行う第１安定槽２５ａと、第２安定槽２５ｂと、第３安定槽２５ｃと、を備える。現像装置２１は、更に、第３安定槽２５ｃから送られた感光紙の乾燥処理を行う乾燥部２６と、乾燥された感光紙を搬送ローラ対２６ａで外部に排出する排出部２７と、を備える。
【００２０】
現像装置２１について図２乃至図５を参照して更に説明する。図２のように、現像槽２３は、入口３０から送られてきた感光紙を現像するための現像液が満たされており、感光紙を現像液中で複数のローラ２３ａにより搬送しながら現像し、定着槽２４へと送る。また、図５のように、現像槽２３には現像温調タンク２３ｄがポンプＰ１により循環するように接続され、現像温調タンク２３ｄ内には、現像ヒータ２３ｂ及び現像温度センサ２３ｃが配置され、現像温度を調整できるようになっている。
【００２１】
定着槽２４は、現像槽２３から送られてきた感光紙を定着処理するための定着液が満たされており、感光紙を定着液中で複数のローラ２４ａにより図の上下方向に搬送しながら定着処理を行い、第１安定槽２５ａへと送る。また、図５のように、定着槽２４には定着温調タンク２４ｄがポンプＰ２により循環するように接続され、定着温調タンク２４ｄ内には、定着ヒータ２４ｂ及び定着温度センサ２４ｃが配置され、定着温度を調整できるようになっている。
【００２２】
第１安定槽２５ａは、定着槽２４から送られてきた感光紙を安定処理するための安定液が満たされており、感光紙を安定液中で複数のローラ２５ｄにより図の上下方向に搬送しながら安定処理を行い、次の第２安定槽２５ｂに送る。同様にして、第２安定槽２５ｂ及び第３安定槽２５ｃは、感光紙を安定処理するための各安定液が満たされており、感光紙を各安定液中で複数のローラ２５ｅ、２５ｆにより図の上下方向に搬送しながら安定処理を行い、乾燥部２６へと送る。
【００２３】
また、図５のように、第２安定槽２５ｂ内の安定液はポンプＰ４により現像温調タンク２３ｄ内を配管２５ｈで循環することで現像温調タンク２３ｄの余熱で随伴温調されるようになっている。また、第１安定槽２５ａ及び第３安定槽２５ｃ内の各安定液はポンプＰ３、Ｐ５により循環するようになっている。また、各処理槽２３，２４，２５ａ、２５ｂ、２５ｃ内の各処理液は、廃液バルブＶ１，Ｖ２，Ｖ３，Ｖ４，Ｖ５を開くことで各廃液タンク３５，３６，３７に排出されるようになっている。
【００２４】
また、乾燥部２６は、感光紙を排出部２７へとガイド２６ｄで案内しながら搬送する複数の搬送ローラ対２６ａと、ガイド２６ｄの近傍に配置された温度センサ４８と、ケース２６ｂ内に配置されたヒータ４７（図７）と、を備える。
【００２５】
図２、図５のように、現像装置２１は、現像液を貯蔵しポンプＰ６により管３１ａを通して現像槽２３に補充するための補充タンク３１と、定着液を貯蔵しポンプＰ７により管３２ａを通して定着槽２４に補充するための補充タンク３２と、安定液を貯蔵しポンプＰ８により管３３ａを通して第３安定槽２５ｃに補充するための補充タンク３３と、水を貯蔵し各ポンプＰ９，Ｐ１０，Ｐ１１により管３４ａを通して現像槽２３、定着槽２４及び第３安定槽２５ｃにそれぞれ補水するための補充タンク３４と、を下部に備える。
【００２６】
図３に示すように、現像装置２１には、各処理槽２３，２４，２５ａ、２５ｂ、２５ｃ内のローラ２３ａ，２４ａ，２５ｄ，２５ｅ，２５ｆ及び乾燥部２６内のローラ２６ａを回転駆動するための駆動モータ４５が配置され、共通の回転軸４６を介して歯車機構等からなる各回転部２３ｅ，２４ｅ，２５ｉ，２５ｊ，２５ｋ，２６ｅを回転させることで各ローラを回転駆動するようになっている。
【００２７】
また、図２，図３のように、各処理槽２３，２４，２５ａ、２５ｂ、２５ｃ及び乾燥部２６の上方には感光紙を検出するための検出部４９ａ，４９ｂ，４９ｃ，４９ｄ，４９ｅ，４９ｆがそれぞれ配置されている。検出部４９ａ乃至４９ｆは反射型の光センサ等から構成できる。
【００２８】
また、図２〜図４に示すように、定着槽２４と第１安定槽２５ａとの間に断熱材からなる断熱部材６２を配置するとともに、現像槽２３及び定着槽２４の外壁６８を断熱材からなる断熱部材６１で包囲することで現像槽２３と定着槽２４の外壁６８に仕切られた空間６０が形成されている。断熱材は、例えば、硝子繊維や発泡スチロールを内部に充填したものを用いることができるが、これらに限定されない。
【００２９】
また、図６に示すように、現像槽２３と定着槽２４とを包囲する断熱部材６１の底面の一部、即ち、現像槽２３及び定着槽２４の下部がヒンジ部６１ｂで開閉可能な開閉部材６１ａに構成されている。開閉部材６１ａが図６のように開放することで、仕切られた空間６０が底部で装置内部と連通するようになっている。なお、開閉部材６１ａの開閉動作はモータ（図示省略）等を制御部５０（図７）により制御することで自動的に行うことができる。
【００３０】
図７は図１の画像記録装置の現像装置の制御系を示すブロック図である。図７のように、制御部５０は、駆動モータ４５を制御するとともに、乾燥温度センサ４８の検出温度に基づいて乾燥ヒータ４７を制御し乾燥温度を調整し、同様に、各処理槽において各センサ２３ｃ，２４ｃの検出温度に基づいて各ヒータ２３ｂ，２４ｂを制御し、現像温度及び定着温度を調整する。制御部５０は、ポンプＰ６乃至Ｐ１１をそれぞれ制御することで各補充タンク３１〜３４から各補充液・水を各槽に補充する。
【００３１】
また、制御部５０は、各処理槽２３，２４，２５ａ、２５ｂ、２５ｃ及び乾燥部２６において感光紙を検出部４９ａ乃至４９ｆで検出し、この検出に基づいて装置起動時に駆動モータ４５を制御する。
【００３２】
次に、図１乃至図７の画像記録装置全体の動作を説明する。まず、図１の露光装置１１において、装填部１２または１２’のカートリッジ１３から給紙ローラ４０，４１で感光紙を給紙し、カッタ４０ａ、４１ａで感光紙を所定の長さに切断の上、給送部１４を通して円筒体１８に給送し、感光紙を円筒体１８の外周面に真空吸引し保持し、光学ユニット１６からレーザ光を円筒体１８上の感光紙に対し露光する。この露光時に円筒体１８を回転方向Ｒに回転し主走査し、光学ユニット１６を副走査部１７で副走査することで、感光紙に画像記録を行う。画像記録後、剥離部材１８ａが円筒体１８に接近し感光紙を円筒体１８から剥離してからガイド部１５を通して感光紙を出口１９に導く。
【００３３】
次に、現像装置２１に入口３０から内部に導かれた露光後の感光紙を搬送し、感光紙を現像槽２３で現像し、定着槽２４で定着処理し、安定槽２５ａ〜２５ｃで各安定処理をする。次に、乾燥部２６で感光紙を乾燥させ、排出部２７から排出する。なお、各処理（現像、定着、安定）液は、各補充タンク３１〜３３から適宜補充され、また、各処理槽２３，２４，２５ｃには補充タンク３４から水が適宜補充されるようになっている。
【００３４】
上述のように、画像記録装置１及び現像装置２１の運転中に、図５の現像温度センサ２３ｃ，定着温度センサ２４ｃの各検出温度に基づいてヒータ２３ｂ，２４ｂを制御し、現像槽２３内の現像液及び定着槽２４内の定着液の各温度を調整することで、現像温度及び定着温度を制御する。このとき、図２乃至図４のように、定着槽２４の第１安定槽２５ａ側の外壁が断熱部材６２で、現像槽２３及び定着槽２４の外壁と断熱部材６１との間が仕切られた空間６０でそれぞれ覆われて断熱構造となっているため、現像槽２３と定着槽２４の液温低下を防止できる。
【００３５】
なお、上記運転開始のとき、定着槽２４の下部の開閉部材６１ａが図６のように開いているときは、モータ等を作動させて閉める。
【００３６】
また、上述の画像記録及び現像処理が終了し、現像装置２１の運転を停止する場合、図６のように、現像槽２３及び定着槽２４の下部の開閉部材６１ａが下方に開くことにより、現像槽２３、定着槽２４の外壁と断熱部材６１との間の仕切られた空間６０の空気は、図６の矢印のように流れる。そのため、装置運転時に暖められた仕切られた空間６０内の空気が現像槽２３の上方に流れるとともに、この仕切られた空間６０内に、現像槽２３及び定着槽２４の下部から冷えた空気が入り込み、仕切られた空間６０が冷やされる。そして、例えば、図５のセンサ２３ｃまたは２４ｃの検出温度が所定の温度以下になったら、装置の運転を停止する。
【００３７】
以上のようにして、装置の運転中に、図３，図４のような断熱構造により現像槽２３の現像液及び定着槽２４の定着液の各温度低下が抑えられるので、現像槽２３と定着槽２４内の現像液・定着液の保温効果が向上し、また、現像液及び定着液の安定性が向上する。従って、現像槽２３のためのヒータ２３ｂ及び定着槽２４のためのヒータ２４ｂの各ＯＮ時間を短縮でき消費電力を削減できる。
【００３８】
また、定着槽２４と第１安定槽２５ａとの間に断熱部材６２を配置することで、定着槽２４内の定着液が第１安定槽２５ａの温度に影響されることがなく、定着槽２４内の定着液の温度を更に安定にできる。
【００３９】
また、装置の運転を停止する場合には、図６のように、断熱構造の一部の開閉部材６１ａを開放することで、仕切られた空間６０内を冷やし、現像槽２３及び定着槽２４内の各液温を比較的速く低下させることができる。
【００４０】
次に、図３，図４の断熱構造の変形例を図８を参照して説明する。図８は図３，図４の断熱構造の変形例を概略的に示す要部側断面図である。図８の例は、図３，図４の仕切られた空間の一部に外気温調機構を設けたものである。
【００４１】
図８のように、断熱部材６１の現像槽２３及び定着槽２４の下部の一部（図６の開閉部材６１ａの位置）には、暖房モードまたは冷房モードに切り替えて外気温を暖めまたは冷やすようにして温度調整する外気温調機構６６及び仕切られた空間６０に向け温調された空気を送るファン６７が設けられている。図７のように、制御部５０が外気温調機構６６及びファン６７を現像温度センサ２３ｃ及び定着温度センサ２４ｃの各検出温度に基づいて制御する。
【００４２】
即ち、現像装置２１の運転を開始し、現像槽２３の現像液と定着槽２４の定着液を図５のヒータ２３ｂ、２４ｂで暖めるとき、外気温調機構６６を暖房にし、熱気を図８の矢印のようにファン６７で仕切られた空間６０に送り、現像槽２３の現像液と定着槽２４の定着液が設定温度に達したら、外気温調機構６６を停止し、ファン６７も停止する。そして、現像槽２３及び定着槽２４内の液温が設定温度より低下した場合、図５のヒータ２３ｂ、２４ｂが作動するが、これとともに外気温調機構６６及びファン６７も作動させる。このような動作を装置運転中に繰り返し行う。
【００４３】
また、現像装置２１の運転を停止する場合、外気温調機構６６が冷房となり、ファン６７により仕切られた空間に図８の矢印のように冷気が流れ込むことで、現像槽２３の現像液及び定着槽２４の定着液を冷やし、所定の温度以下になったら、装置の運転を停止する。
【００４４】
以上のようにして、装置の運転中に、図３，図４のような断熱構造に加えて外気温調機構６６及びファン６７を設けることで、現像槽２３の現像液及び定着槽２４の定着液の昇温を迅速に行うことができるとともに、現像槽２３の現像液及び定着槽２４の定着液の各温度低下が抑えられるので、現像槽２３と定着槽２４内の現像液・定着液の保温効果が向上し、また、現像液及び定着液の安定性が向上する。従って、現像槽２３のためのヒータ２３ｂ及び定着槽２４のためのヒータ２４ｂの各ＯＮ時間を短縮でき消費電力を削減できる。
【００４５】
また、装置の運転を停止する場合には、冷房モードとなった外気温調機構６６及びファン６７により仕切られた空間６０内を冷やし、現像槽２３及び定着槽２４内の各液温を素速く低下させることができる。
【００４６】
次に、図３，図４の断熱構造の別の変形例を図９を参照して説明する。図９は図３，図４の断熱構造の別の変形例を概略的に示す要部正面図（ａ）及び要部上面図（ｂ）である。図９の例は、図１，図２の各処理槽を断熱部材から構成して断熱構造としたものである。
【００４７】
図９（ａ）、（ｂ）のように、定着槽２４と第１安定槽２５ａとの間に断熱部材６２を配置するとともに、現像槽２３，定着槽２４及び第１乃至第３安定槽２５ａ，２５ｂ，２５ｃの各壁を断熱部材６５で構成している。
【００４８】
図９（ａ）、（ｂ）の断熱構造によれば、断熱部材で各処理槽を包囲するように構成することで断熱効果を得ることができ、各処理槽２３乃至２５ｃ内の処理液の温度変動が抑えられるので、処理槽２３乃至２５ｃ内の処理液の保温効果が向上し、各処理液の安定性が向上するとともに、ヒータのＯＮ時間を短縮でき消費電力を削減できる。
【００４９】
次に、図３，図４の断熱構造の更に別の変形例を図１０を参照して説明する。図１０は図３，図４の断熱構造の変形例を概略的に示す要部正面図である。図１０の例は、図２の補充タンク３１乃至３３を各処理槽の上部に配置することで断熱構造としたものである。なお、図１０では説明の便宜上、補充タンク３１乃至３３が各処理槽の上方に離れているが、実際は各処理層を覆うように位置する。
【００５０】
図１０のように、図２の現像液の補充タンク３１と、定着液の補充タンク３２と、安定液の補充タンク３３とを、現像槽２３と定着槽２４と第１乃至第３安定槽２５ａ，２５ｂ，２５ｃの上部に一体的に配置し、これらの各槽２３乃至２５ｃの上部を覆う。
【００５１】
上述のように、各槽２３乃至２５ｃの上部に各補充タンク３１乃至３３を配置し各槽２３乃至２５ｃの上部を覆うことで、槽上部全体を断熱構造に構成できる。このため、各槽２３乃至２５ｃから上部への放熱を抑えることができ、また、この熱で各補充タンク３１乃至３３を暖めることができる。このため、各槽２３乃至２５ｃの内の各処理液の温度変動が抑えられかつ各槽２３，２４，２５ｃに補充される各処理液が暖められるので、各槽２３，２４，２５ｃ内の処理液の保温効果が向上し、処理液の安定性が向上するとともに、ヒータのＯＮ時間を短縮でき消費電力を削減できる。
【００５２】
以上のように本発明を実施の形態により説明したが、本発明はこれらに限定されるものではなく、本発明の技術的思想の範囲内で各種の変形が可能である。例えば、図１では現像装置を画像記録装置に含まれるものとして説明したが、図２のような現像装置として独立した構成であってもよいことは勿論である。
【００５３】
また、図１０の構造では、図３，図４，図６のような断熱構造、図８のような断熱構造、または、図９（ａ）、（ｂ）のような断熱構造を加えて構成することで、更に断熱効果を高めることができる。
【００５４】
また、図３，図４の断熱構造を図１１のように構成してもよい。即ち、定着槽２４と第１安定槽２５ａとの間に配置される断熱部材６２が定着槽２４の底部及び現像槽２３の定着槽２４側の外壁に接するように構成してもよい。図１１の断熱構造により図３，図４と同様の効果を得ることができる。また、図８の断熱構造の断熱部材６２を図１１と同様に配置してもよい。
【図面の簡単な説明】
【００５５】
【図１】本実施の形態による画像記録装置の内部を正面側から見た図である。
【図２】図１の画像記録装置の現像装置をより具体的に示す要部正面図である。
【図３】図２の現像装置の上部を概略的に示す要部上面図である。
【図４】図２の現像装置の処理槽を概略的に示す要部正面図である。
【図５】図２の現像装置の配管系を示す図である。
【図６】図２の現像装置の処理槽を概略的に示す要部正面図であり、底部の断熱部材を開放した状態を示す図である。
【図７】図１の画像記録装置の現像装置の制御系を示すブロック図である。
【図８】図３，図４の断熱構造の変形例を概略的に示す要部正面図である。
【図９】図３，図４の断熱構造の別の変形例を概略的に示す要部正面図（ａ）及び要部上面図（ｂ）である。
【図１０】図３，図４の断熱構造の更に別の変形例を概略的に示す要部正面図である。
【図１１】図３，図４の断熱構造の更に別の変形例を概略的に示す要部正面図である。
【図１２】従来の現像装置の処理槽の要部正面図（ａ）及び要部上面図（ｂ）である。
【符号の説明】
【００５６】
１ 画像記録装置
１１ 露光装置
２１ 現像装置
２３ 現像槽
２３ｂ ヒータ
２３ｃ 現像温度センサ
２３ｄ 現像温調タンク
２４ 定着槽
２４ｂ 定着ヒータ
２４ｃ 定着温度センサ
２４ｄ 定着温調タンク
２５ａ 第１安定槽
２５ｂ 第２安定槽
２５ｃ 第３安定槽
２６ 乾燥部
３１ 補充タンク
３２ 補充タンク
３３ 補充タンク
５０ 制御部
６０ 仕切られた空間
６１ 断熱部材
６１ａ 開閉部材
６２ 断熱部材
６５ 断熱部材
６６ 外気温調機構
６７ ファン
６８ 処理槽の外壁
【図１】
2005070641.tif 000003
【図２】
2005070641.tif 000004
【図３】
2005070641.tif 000005
【図４】
2005070641.tif 000006
【図５】
2005070641.tif 000007
【図６】
2005070641.tif 000008
【図７】
2005070641.tif 000009
【図８】
2005070641.tif 000010
【図９】
2005070641.tif 000011
【図１０】
2005070641.tif 000012
【図１１】
2005070641.tif 000013
【図１２】
2005070641.tif 000014